(57)【要約】【課題】ドライブ電流のオーバーシュートやアンダーシュートによるクロックの乱れを防止する。【解決手段】位相調節器５１は、ループアンテナ１４のドライブ電流のオーバーシュートやアンダーシュートが、ｓｉｎ波がスレッシュホールド値ＳＨになるタイミングで発生しないように、クロック供給部１１から供給されたクロックを遅延して、アンテナ駆動回路１３に供給する。このように、ドライブ電流のオーバーシュートやアンダーシュートが、ｓｉｎ波がスレッシュホールド値ＳＨになるタイミングで発生しないようにしたので、クロック供給部１１において、ｓｉｎ波に基づく２値化が適切に行われ、クロックが適切に生成される。【選択図】      図７
2004220477.tif 000002
【特許請求の範囲】
【請求項１】
所定の波形信号に基づいてクロックを生成する生成回路と、
前記生成回路と電源供給源を共通にし、電磁誘導を利用した通信を行うアンテナを、送信されるデータを表す送信データと前記クロックに基づく差動信号により駆動する駆動回路と、
前記波形信号の位相に対する、前記差動信号の位相を調節する調節回路と
を備えることを特徴とする通信装置。
【請求項２】
前記調節回路は、多段に接続された複数のインバータにより構成されている
ことを特徴とする請求項１に記載の通信装置。
【発明の詳細な説明】
【０００１】
【発明の属する技術分野】
本発明は、通信装置に関し、特に、クロックの乱れを防止することができるようにした通信装置に関する。
【０００２】
【従来の技術】
図１は、従来のリーダライタ１の構成例を示している（特許文献参照）。リーダライタ１は、外部の図示せぬ非接触ＩＣカードと電磁誘導による通信を行う。
【０００３】
クロック供給部１１は、水晶発振子やセラロックなどよりなるｓｉｎ波発振回路１２から入力された図２に示すようなｓｉｎ波を２値化してクロックを生成する。クロック供給部１１は、生成したクロックを、アンテナ駆動回路１３および制御部１０の他、並びにリーダライタ１を構成する他の各部（図示せず）に供給する。
【０００４】
なお、クロック供給部１１は、図３に示すような構成を有しており、インバータ２１にはｓｉｎ波発振回路１２からのｓｉｎ波が入力され、インバータ２２からは、クロックが出力される。
【０００５】
アンテナ駆動回路１３は、クロック供給部１１からのクロックに対して、制御部１０から入力された送信データ信号に基づく変調処理を施し、その結果得られたドライブ電流をループアンテナ１４に出力する。
【０００６】
具体的には、クロック供給部１１から供給されたクロックは、アンテナ駆動回路１３のインバータ３１、インバータ３４、およびインバータ３５にそれぞれ入力され、そこで振幅の正負が反転される。インバータ３１の出力信号は、インバータ３２およびインバータ３３に入力されてそこで振幅の正負がさらに反転される（元に戻される）。
【０００７】
制御部１０から供給された送信データ信号は、インバータ３３およびインバータ３５のスリーステートコントロール端子にそれぞれ入力され、インバータ３３，３５のイネーブル／ディセーブル状態を決定する。
【０００８】
インバータ３２からの出力信号（振幅の正負が反転されていないクロック）とインバータ３３からの出力信号（振幅の正負が反転されていないクロック）は、接点ａにおいて重畳されるが、このときのインバータ３３の状態（イネーブルまたはディセーブル）によって、ＡＳＫ（Ａｍｐｌｉｔｕｄｅ  Ｓｈｉｆｔ  Ｋｅｙｉｎｇ）変調される。
【０００９】
インバータ３４からの出力信号（振幅の正負が反転されたクロック）とインバータ３５からの出力信号（振幅の正負が反転されたクロック）は、接点ｂにおいて重畳されるが、このときのインバータ３５の状態（イネーブルまたはディセーブル）によって、ＡＳＫ変調される。
【００１０】
接点ａおよび接点ｂにおいて重畳された信号は、それぞれループアンテナ１４に出力される。すなわち、ループアンテナ１４には、接点ａおよび接点ｂを介して、絶対値の等しい逆極性の電流がドライブ電流として入力される。
【００１１】
ループアンテナ１４からは、ドライブ電流に対応する電磁波が輻射される。ループアンテナ１４は、コイル２１およびコンデンサ２２からなる共振回路を有している。
【００１２】
制御部１０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）等から構成され、クロック供給部１１から供給されるクロックに基づいて動作し、アンテナ駆動回路１３に送信データ信号を供給したり、アンテナ駆動回路１３から供給された外部の非接触ＩＣカードからのデータに応じた処理を行う。
【００１３】
【特許文献】
特開平１１−２１３１１１号公報
【００１４】
【発明が解決しようとする課題】
ところで、ループアンテナ１４のドライブ電流は、比較的大きな電流であり、急激にその大きな電流を流すことから、図４に示すように、その出力時または停止時にオーバーシュートやアンダーシュートが発生する。
【００１５】
またアンテナ駆動回路１３とｓｉｎ波発振回路１２は、共通の電源供給源に接続されている。
【００１６】
すなわち、ドライブ電流のオーバーシュートやアンダーシュートにより電源電圧が揺れることによってｓｉｎ波発振回路１２が発振するｓｉｎ波やそのスレッシュホールド値が乱れ、その結果としてクロック供給部１１における２値化が正確に行われないとき、クロックが乱れてしまう課題があった。このようにクロックが乱れると、制御部１０のＣＰＵが暴走するなどの不具合が生じる。
【００１７】
例えば、図５に示すように、ドライブ電流のオーバーシュートやアンダーシュートの発生が（図５の下段）、ＩＣ内部のゲート遅延や配線遅延の関係で、ｓｉｎ波（図５の上段）が２値化のためのスレッシュホールド値ＳＨになるタイミングで発生した場合、その部分の波形が乱れるので、２値化が正確に行われず、クロックは、図６に示すように乱れる。
【００１８】
なお、このようなクロックの乱れは、クロック供給部１１のインバータ２２（図３）の能力が低く、ｓｉｎ波の振幅が小さいほど起こりやすい。
【００１９】
本発明はこのような状況に鑑みてなされたものであり、ドライブ電流のオーバーシュートやアンダーシュートによるクロックの乱れを防止するものである。
【００２０】
【課題を解決するための手段】
本発明の通信装置は、所定の波形信号に基づいてクロックを生成する生成回路と、生成回路と電源供給源を共通にし、電磁誘導を利用した通信を行うアンテナを、送信されるデータを表す送信データとクロックに基づく差動信号により駆動する駆動回路と、波形信号の位相に対する、差動信号の位相を調節する調節回路とを備えることを特徴とする。
【００２１】
調節回路は、多段に接続された複数のインバータで構成することができる。
【００２２】
本発明の通信装置においては、所定の波形信号に基づいてクロックが生成され、電磁誘導を利用した通信を行うアンテナが、送信されるデータを表す送信データとクロックに基づく差動信号により駆動され、波形信号の位相に対する、差動信号の位相が調節される。
【００２３】
【発明の実施の形態】
図７は、本発明を適用したリーダライタ５０の構成例を示している。このリーダライタ５０には、図１のリーダライタ１のクロック供給部１１の後段に、位相調節器５１が設けられている。他の部分は、図１における場合と同様であるので、その説明は省略する。
【００２４】
位相調節器５１は、図８に示すように、ループアンテナ１４のドライブ電流のオーバーシュートやアンダーシュートが、ｓｉｎ波がスレッシュホールド値ＳＨになるタイミングで発生しないように、クロック供給部１１から供給されたクロックを遅延して、アンテナ駆動回路１３に供給する。
【００２５】
具体的には、位相調節器５１は、図９に示すように、ｎ個のインバータ５２−１乃至５２−ｎ（以下、個々に区別する必要がない場合、単に、インバータ５２と称する）により構成されており、そのゲート遅延時間を利用して、クロックの遅延を行う。
【００２６】
図８に示したように、図５の例の場合に比べ、ドライブ電流を、ｓｉｎ波の１／４波長分（クロックが１３．５６ＭＨｚである場合は、約７４ｎｓ）遅延させるためには、位相調節器５１には、例えば、遅延時間が０．２ｎｓのインバータ５２を、約９０個設ける必要がある。
【００２７】
なお、ｓｉｎ波とドライブ電流との位相差は、入力電圧レベルや使用温度にも依存するので、それらの条件に基づいて、インバータ５２の数を調節するようにしてもよい。
【００２８】
このように、ドライブ電流のオーバーシュートやアンダーシュートが、ｓｉｎ波のスレッシュホールド値ＳＨ時に発生しないようにしたので、図６に示したような乱れたクロックの生成を防止することができる。
【００２９】
【発明の効果】
本発明によれば、クロックの乱れを防止することができる。
【図面の簡単な説明】
【図１】従来のリーダライタの構成例を示すブロック図である。
【図２】ｓｉｎ波を示す図である。
【図３】図１のクロック供給部の回路図の例である。
【図４】ドライブ電流の波形を示す図である。
【図５】ｓｉｎ波とドライブ電流波形の位相関係を説明する図である。
【図６】図１のクロック供給部により生成されるクロックを示す図である。
【図７】本発明を適用したリーダライタの構成例を示すブロック図である。
【図８】ｓｉｎ波とドライブ電流波形の位相関係を説明する他の図である。
【図９】図７の位相調節器の構成例を示す回路図の例である。
【符号の説明】
５０  リーダライタ，  ５１  位相調節器，  ５２  インバータ
【図１】
2004220477.tif 000003
【図２】
2004220477.tif 000004
【図３】
2004220477.tif 000005
【図４】
2004220477.tif 000006
【図５】
2004220477.tif 000007
【図６】
2004220477.tif 000008
【図７】
2004220477.tif 000009
【図８】
2004220477.tif 000010
【図９】
2004220477.tif 000011